(57)【要約】【課題】アンテナ等の装置を設置することなく、利用者に気象情報サービスを提供することができる、気象情報提供システムを提供することを目的とする。【解決手段】ドアベル３と、気象情報測定装置２と、気象情報分析装置７と、サーバ４と、を備え、ドアベル３は、気象情報測定装置２と通信可能であり、サーバ４は、ドアベル３及び気象情報分析装置７と相互に通信可能であって、ドアベル３の位置情報を保存可能であり、ドアベル３は、気象情報測定装置２が取得した気象情報をサーバ４に送信し、気象情報分析装置７が、サーバ４に送信された気象情報と前記位置情報に基づいて、気象情報を分析し、分析データをサーバ４に送信する。【選択図】図２
2019144122.tif 000002
【特許請求の範囲】
【請求項１】
近距離無線通信機能を有するドアベルと、
近距離無線通信機能を有する気象情報測定装置と、
気象情報分析装置と、
サーバと、を備え、
前記ドアベルは、近距離無線通信により、前記気象情報測定装置と通信可能であり、
前記サーバは、ネットワークを介して、前記ドアベル及び前記気象情報分析装置と相互に通信可能であって、前記ドアベルの位置情報を保存可能であり、
前記ドアベルは、前記気象情報測定装置が取得した気象情報を近距離無線通信により取得し、前記ネットワークを介して、前記気象情報を前記サーバに送信し、
前記気象情報分析装置が、前記サーバに送信された前記気象情報と前記位置情報に基づいて、前記気象情報を分析し、分析データを前記サーバに送信する、気象情報提供システム。
【請求項２】
前記気象情報提供システムは、さらに移動通信端末を備え、
前記サーバは、前記ネットワークを介して、前記移動通信端末と通信可能であり、
前記移動通信端末上で、前記気象情報及び前記分析データを閲覧することが可能な、請求項１に記載の気象情報提供システム。
【請求項３】
前記気象情報は、気温、湿度、雨量、気圧、風速、風向、照度、騒音、紫外線量、二酸化炭素濃度、花粉量のうち、いずれか一つ以上である、請求項１または２に記載の気象情報提供システム。
【請求項４】
前記分析データは、天気予報、天気の履歴、熱中症警報、花粉警報、日焼け警報、ハリケーン進路情報、雷警報、雹警報のうち、いずれか一つ以上である、請求項１から３のいずれか一項に記載の気象情報提供システム。
【発明の詳細な説明】
【技術分野】
【０００１】
本発明は、気象情報提供システムに関する。
【背景技術】
【０００２】
特許文献1には、利用者に各地域の気象情報を知らせるシステムが開示されている。特許文献1に記載されたシステムでは、気象情報を検知するためのセンサを備えたアンテナが屋外に設置され、そのアンテナ及び家庭用テレビと通信可能な衛星放送チューナがさらに設置される。これにより、センサは、センサが設置された場所で検知された気象情報を衛星放送チューナに送り、衛星放送チューナはその気象情報を演算処理する。そして、衛星放送チューナは、処理した気象情報を天気予報等の気象サービスとして、各家庭の家庭用テレビに配信する。
【先行技術文献】
【特許文献】
【０００３】
【特許文献１】特開２００３−２１９２８５
【発明の概要】
【発明が解決しようとする課題】
【０００４】
特許文献１で開示されているシステムにおいては、気象情報を取得する手段として、気象情報を検知するセンサを備えたアンテナ等の装置が用いられている。しかし、これらの装置は、いわゆる生活必需品には該当しないため、利用者がこれらの装置を保有していないことも少なくない。このため、利用者は、こうしたサービスを受けるために、これらの装置（アンテナや衛星放送チューナ等）を新たに設置する必要がある。また、これらの装置を別の装置と代替するには、屋外に設置され、かつ安定的に電源が供給されるものである必要がある。
【０００５】
本発明は、通常、居住宅の屋外に設置されており、かつ電源が安定的に供給されている機器を利用した、気象情報提供システムを提供することを目的とする。
【課題を解決するための手段】
【０００６】
本発明の一態様に係る気象情報提供システムは、
近距離無線通信機能を有するドアベルと、
近距離無線通信機能を有する気象情報測定装置と、
気象情報分析装置と、
サーバと、を備え、
前記ドアベルは、近距離無線通信により、前記気象情報測定装置と通信可能であり、
前記サーバは、ネットワークを介して、前記ドアベル及び前記気象情報分析装置と相互に通信可能であって、前記ドアベルの位置情報を保存可能であり、
前記ドアベルは、前記気象情報測定装置が取得した気象情報を近距離無線通信により取得し、前記ネットワークを介して、前記気象情報を前記サーバに送信し、
前記気象情報分析装置が、前記サーバに送信された前記気象情報と前記位置情報に基づいて、前記気象情報を分析し、分析データを前記サーバに送信する。
【０００７】
上記構成によれば、気象情報測定装置によって取得された気象情報がドアベルに送られた後、ドアベルは受信した気象情報をサーバに送信する。そして、気象情報分析装置は、サーバに送信された気象情報とドアベルの位置情報を基に局地的な気象情報の分析を行う。
このように、上記構成によれば、アンテナや衛星チューナ等の装置の代わりに、居住者宅の位置情報を保存しており、かつ電源が安定的に供給されているドアベルを利用することで、ユーザ（居住者）に気象情報サービスを提供することが可能な気象情報提供システムを提供することができる。
【０００８】
また、本発明の一態様に係る気象情報提供システムは、
さらに移動通信端末を備え、
前記サーバは、前記ネットワークを介して、前記移動通信端末と通信可能であり、
前記移動通信端末上で、前記気象情報及び前記分析データを閲覧することが可能である。
【０００９】
上記構成によれば、サーバは、ネットワークを介して、移動通信端末とも通信可能であるため、取得された気象情報や分析データを、移動通信端末で閲覧することができる。このため、ユーザは、例えば遠隔地にいる時も、移動通信端末上で簡便に居住地の気象情報や分析データを閲覧することができる。
このように、上記構成によれば、移動通信端末で気象情報や分析データを閲覧することが可能な気象情報提供システムを提供することができる。
【００１０】
また、本発明の一態様に係る気象情報提供システムにおいて、
前記気象情報は、気温、湿度、雨量、気圧、風速、風向、照度、騒音、紫外線量、二酸化炭素濃度、花粉量のうち、いずれか一つ以上である。
【００１１】
上記構成によれば、気温、湿度、雨量、気圧、風速、風向、照度、騒音、紫外線、二酸化炭素濃度、花粉量に関するデータ及びこれらに基づく分析データがサーバに送信される。
このように、アンテナや衛星チューナ等の装置を用いることなく、ユーザ（居住者）に気象情報サービスを提供することが可能な気象情報提供システムを提供することができる。
【００１２】
また、本発明の一態様に係る気象情報提供システムにおいて、
前記分析データは、天気予報、天気の履歴、熱中症警報、花粉警報、日焼け警報、ハリケーン進路情報、雷警報、雹警報のうち、いずれか一つ以上である。
【００１３】
上記構成によれば、天気予報、天気の履歴、熱中症警報、花粉警報、日焼け警報、ハリケーン進路情報、雷警報、雹警報に関する分析データ及び気象情報がサーバに送信される。
このように、上記構成によれば、アンテナや衛星チューナ等の装置を用いることなく、ユーザ（居住者）に気象情報サービスを提供することが可能な気象情報提供システムを提供することができる。
【発明の効果】
【００１４】
本発明によれば、アンテナ等の装置を設置することなく、利用者に気象情報サービスを提供することができる、気象情報提供システムを提供することができる。
【図面の簡単な説明】
【００１５】
【図１】本発明の一実施形態に係る気象情報提供システムを示す図である。
【図２】ドアベル、気象情報測定装置、サーバ、移動通信端末、気象情報分析装置の機能ブロック図である。
【図３】気象情報測定装置によって気象情報が測定されてから、気象情報及び分析データをユーザが閲覧するまでの流れを示すフロー図である。
【図４】移動通信端末の表示部に気象情報及び分析データ（天気予報）を表示させた状態を示す図である。
【図５】移動通信端末の表示部に気象情報及び分析データ（花粉情報）を表示させた状態を示す図である。
【発明を実施するための形態】
【００１６】
以下、本発明の実施形態の一例について、図面を参照しながら説明する。
【００１７】
図１は、本発明の一実施形態に係る気象情報提供システム１を示す図である。図１に示されるように、気象情報提供システム１は、気象情報測定装置２と、ドアベル３と、サーバ４と、ルータ５と、気象情報分析装置７と、移動通信端末８と、から構成されている。
【００１８】
気象情報測定装置２とドアベル３は、それぞれ近距離無線通信機能（図示せず）を有しており、互いに通信可能である。気象情報測定装置２とドアベル３は近距離データ通信が可能であり、当該近距離データ通信に用いる無線通信技術としては、例えば、ブルートゥース（登録商標）やＷｉ−Ｆｉ等の通信規格が用いられ得る。ドアベル３は、ルータ５及びネットワーク６を介して、サーバ４、気象情報分析装置７、移動通信端末８と通信可能である。
【００１９】
尚、気象情報提供システム１は、複数の気象情報測定装置２とドアベル３を含み得る。気象情報分析装置７は、複数の気象情報測定装置２から測定された気象情報を取得して、それに基づいて気象情報を分析することもできる。
【００２０】
図２は、気象情報測定装置２、ドアベル３、サーバ４、気象情報分析装置７、移動通信端末８の機能ブロック図である。図２に示されるように、気象情報測定装置２は、測定部２１と、保存部２２と、通信ＩＦ（インターフェース）２３と、制御部２４と、を備える。これらはバス２５を介して互いに通信可能に接続されている。
【００２１】
測定部２１は、一定間隔で周囲の気象情報を測定及び収集するように構成されている。測定部２１は、例えば温度計、湿度計、風速計、雨量計、照度計、騒音計、花粉センサ、紫外線強度計、気圧計、雲量計等の測定機器等から構成される。測定部２１は、測定及び収集した気象情報を保存部２２に送信する。
【００２２】
保存部２２は、測定部２１が測定及び収集した気象情報を保存可能な記憶領域を有している。
【００２３】
通信ＩＦ２３は、ドアベル３の通信ＩＦ３６との通信を可能にする装置あるいはインターフェースである。通信ＩＦ２３を介して、気象情報測定装置２は、近距離無線通信により、ドアベル３と適宜に通信することができる。
【００２４】
通信ＩＦ２３は、送受信機能を有している。通信ＩＦ２３は、例えば、保存部２２に保存されている気象情報を、近距離無線通信により、ドアベル３に送信する。
また、通信ＩＦ２３は、例えば、測定動作に関する指示信号を、近距離無線通信により、ドアベル３から受信する。
【００２５】
制御部２４は、気象情報測定装置２の各部の動作を制御するための制御部であり、１以上のプロセッサと１以上のメモリを含む少なくとも一つのマイクロコントローラと、トランジスタ等のアクティブ素子およびパッシブ素子を含むその他電子回路を含んでもよい。制御部２４は、例えば、サーバ４や移動通信端末８からドアベル3を介して送信された測定動作に関する指示に基づいて、気象情報測定装置２の各部の動作を制御する。
【００２６】
図２に示されるように、ドアベル３は、カメラ３０と、マイク３１と、スピーカ３２と、操作部３５と、通信ＩＦ（インターフェース）３６と、保存部３７と、制御部３８と、ＧＰＳ（Ｇｌｏｂａｌ  Ｐｏｓｉｔｉｏｎｉｎｇ  Ｓｙｓｔｅｍ）（図示せず）と、を備える。これらはバス３９を介して互いに通信可能に接続されている。
【００２７】
カメラ３０は、ドアベル３の前方を含む周囲を撮影する。カメラ３０の撮像範囲に来訪者が存在している場合、カメラ３０は、その来訪者を撮影し得る。カメラ３０は、二次元コードの読み取りも可能である。マイク３１は、ドアベル３の周辺の来訪者の声等の音声を捉えるものである。スピーカ３２は、移動通信端末８のマイクで捉えられた居住者の声等の音声を出力させるものである。
【００２８】
通信ＩＦ３６は、ルータ５への接続を可能にする装置あるいはインターフェースである。通信ＩＦ３６は、Ｗｉ−Ｆｉ等の近距離無線通信や有線通信により、ルータ５と接続される。ドアベル３は、ルータ５を介してネットワーク６に接続される。その結果、ドアベル３は、ネットワーク６に接続されたサーバ４、気象情報分析装置７、移動通信端末８と相互に適宜に通信することができる。また、通信ＩＦ３６は、気象情報測定装置２の通信ＩＦ２３との通信を可能にする装置あるいはインターフェースでもある。通信ＩＦ３６を介して、ドアベル３は、近距離無線通信により、気象情報測定装置２と適宜に通信することができる。
【００２９】
通信ＩＦ３６は、送受信機能を有している。通信ＩＦ３６は、例えば、気象情報測定装置２から受信した気象情報を、ネットワーク６を介してサーバ４に送信する。
また、通信ＩＦ３６は、例えば、気象情報測定装置２から送信される気象情報やサーバ４又は移動通信端末８から送信される測定動作に関する指示信号を受信する。
【００３０】
操作部３５は、例えば、呼出ボタンにより構成される。操作部３５は、来訪者の各種入力操作を受け付ける。各種入力操作には、例えば、居住者の呼出等が含まれる。
【００３１】
保存部３７は、気象情報測定装置２から送信された気象情報や、ドアベル３が有するＧＰＳにより取得されるドアベル３の位置情報等を保存可能な記憶領域を有している。
【００３２】
制御部３８は、ドアベル３の各部の動作を制御するための制御部であり、１以上のプロセッサと１以上のメモリを含む少なくとも一つのマイクロコントローラと、トランジスタ等のアクティブ素子およびパッシブ素子を含むその他電子回路を含んでもよい。制御部３８は、例えば、気象情報をサーバ４に送信する動作を制御したり、来訪者からの呼出に応じて、マイク３１やスピーカ３２の動作を制御する。
【００３３】
図２に示されるように、サーバ４は、通信ＩＦ（インターフェース）４１と、保存部４４と、制御部４５と、を備える。これらはバス４６を介して互いに通信可能に接続されている。
【００３４】
通信ＩＦ４１は、ルータ５及びネットワーク６を介して、ドアベル３と通信可能に接続されている。また、通信ＩＦ４１は、ネットワーク６を介して、気象情報分析装置７及び移動通信端末８と通信可能に接続されている。
【００３５】
通信ＩＦ４１は、送受信機能を有している。通信ＩＦ４１は、例えば、保存部４４に保存されている気象情報等を、ネットワーク６を介して移動通信端末８に送信する。
【００３６】
また、通信ＩＦ４１は、例えば、ドアベル３から送信される気象情報、気象情報分析装置から送信される分析データ、移動通信端末８からの指示信号を受信する。
【００３７】
保存部４４は、ドアベル３の位置情報、測定部２１が測定及び収集した気象情報、気象情報分析装置７が分析した分析データ、移動通信端末８の識別情報を互いに紐付けて保存可能な記憶領域を有している。
【００３８】
制御部４５は、サーバ４の各部の動作を制御するための制御部であり、１以上のプロセッサと１以上のメモリを含む少なくとも一つのマイクロコントローラと、トランジスタ等のアクティブ素子およびパッシブ素子を含むその他電子回路を含んでもよい。例えば、制御部４５は、保存部４４に対し、ドアベル３から送られてきた気象情報及び気象情報分析装置７から送られてきた分析データを保存するよう制御する。また、制御部４５は、保存部４４に対し、移動通信端末８からの指示信号に基づき、保存された分析データを出力するよう制御する。
【００３９】
図２に示されるように、気象情報分析装置７は、通信ＩＦ（インターフェース）７１と、分析部７３と、保存部７５と、制御部７６と、を備えている。これらはバス７７を介して互いに通信可能に接続されている。
【００４０】
通信ＩＦ７１は、ルータ５及びネットワーク６を介して、ドアベル３と通信可能に接続されている。また、通信ＩＦ７１は、ネットワーク６を介して、サーバ４及び移動通信端末８と通信可能に接続されている。
【００４１】
通信ＩＦ７１は、送受信機能を有している。通信ＩＦ７１は、例えば、後述する保存部７５に保存されている分析データを、ネットワーク６を介してサーバ４に送信する。
また、通信ＩＦ７１は、例えば、サーバ４から送信される気象情報を受信する。
【００４２】
分析部７３は、サーバ４から取得した気象情報に基づいて、気象に関する分析を行う。分析方法としては、各気象情報を組み合わせる方法や、各気象情報からある日の天候予測を行う方法等である。当該分析により得られる分析データは、例えば、天気予報、天気の履歴、熱中症警報、花粉警報、日焼け警報、ハリケーン進路情報、雷警報、雹警報等に関するデータである。当該分析データには、分析により得られるデータのみならず、これらを組み合わせたデータも含み得る。例えば、当該分析データには、ある日の天気予報や警報等に関するデータのみならず、むこう一週間の天気予報や警報等に関するデータを含み得る。
【００４３】
分析部７３は、複数の気象情報測定装置２から取得した気象情報に基づいて、天気予報といった気象情報の分析をすることもできる。例えば、分析部７３は、広域に多数設置された気象情報測定装置２から取得された気象情報のビックデータを用いて、高精度な分析データを生成してもよい。
【００４４】
分析部７３は、１以上のプロセッサと１以上のメモリを含む少なくとも一つのマイクロコントローラと、トランジスタ等のアクティブ素子およびパッシブ素子を含むその他電子回路を含んでもよい。プロセッサは、例えば、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）および／またはＴＰＵ（Ｔｅｎｓｏｒ  Ｐｒｏｃｅｓｓｉｎｇ  Ｕｎｉｔ）である。ＣＰＵは、複数のＣＰＵコアによって構成されてもよい。ＧＰＵは、複数のＧＰＵコアによって構成されてもよい。メモリは、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）を含む。ＲＯＭには、気象情報分析用のプログラムが記憶されてもよい。ＲＡＭには、気象情報分析用のプログラムが一時的に記憶されてもよい。プロセッサは、記憶装置またはＲＯＭに記憶された気象情報分析用のプログラムから指定されたプログラムをＲＡＭ上に展開し、ＲＡＭとの協働で各種処理を実行するように構成されてもよい。
また、分析部７３は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍａｍｍａｂｌｅ  Ｇａｔｅ  Ａｒｒａｙ）等の集積回路（ハードウェア資源）によって構成されてもよい。さらに、分析部７３は、少なくとも一つのマイクロコントローラと集積回路との組み合わせによって構成されてもよい。
【００４５】
制御部７６は、気象情報分析装置７の各部の動作を制御するための制御部であり、１以上のプロセッサと１以上のメモリを含む少なくとも一つのマイクロコントローラと、トランジスタ等のアクティブ素子およびパッシブ素子を含むその他電子回路を含んでもよい。例えば、制御部７６は、分析部７３に対し、サーバ４から受信された気象情報に基づいて、気象情報に関する分析を行い、分析データを生成するように制御する。
【００４６】
保存部７５は、サーバ４から送信された気象情報及び分析部７３が生成した分析データを保存可能な記憶領域を有している。
【００４７】
図２に示されるように、移動通信端末８は、通信ＩＦ（インターフェース）８１と、表示部８２と、入力部８３と、制御部８５と、を備えている。これらはバス８６を介して互いに通信可能に接続されている。移動通信端末８としては、例えば、ノートＰＣ、タブレット端末、スマートフォン等の電子機器が利用され得る。
【００４８】
通信ＩＦ８１は、ルータ５及びネットワーク６を介して、ドアベル３と通信可能に接続されている。また、通信ＩＦ８１は、サーバ４及び気象情報分析装置７と通信可能に接続されている。
【００４９】
表示部８２は、液晶ディスプレイ、有機ＥＬディスプレイ等のディスプレイであって、画像（操作画像や各種アプリケーション画像等）を表示するように構成されている。
【００５０】
入力部８３は、移動通信端末８を操作するユーザの入力操作を受け付けるように構成されており、例えば、表示部８２上に重ねて配置されたタッチディスプレイや、表示部８２とは別個に設けられた操作ボタン等である。
【００５１】
制御部８５は、移動通信端末８の各部の動作を制御するための制御部であり、１以上のプロセッサと１以上のメモリを含む少なくとも一つのマイクロコントローラと、トランジスタ等のアクティブ素子およびパッシブ素子を含むその他電子回路を含んでもよい。制御部８５は、例えば、ユーザが入力部８３を介して入力した指示に係る指示信号に基づいて、所望の分析データを表示部８２に表示させる処理を制御する。
【００５２】
次に、図３から図５を参照しつつ、気象情報測定装置２によって気象情報が測定されてから、気象情報及び分析データをユーザが閲覧するまでの流れを説明する。図３は、気象情報測定装置２によって気象情報が測定されてから、気象情報及び分析データをユーザが閲覧するまでの流れを示すフロー図である。図４は、移動通信端末８の表示部８２に気象情報及び分析データ（天気予報）を表示させた状態を示す図である。図５は、移動通信端末８の表示部８２に気象情報及び分析データ（花粉情報）を表示させた状態を示す図である。
【００５３】
気象情報測定装置２は、各種気象情報を測定する。ここでいう各種気象情報には、例えば、気温、湿度、雨量、気圧、風速、風向、照度、騒音、紫外線量、二酸化炭素濃度、花粉量等が含まれる。測定された気象情報は、保存部２２に保存される（ステップＳ１）。
【００５４】
保存部２２に保存された各種気象情報は、近距離無線通信により、通信ＩＦ２３と通信ＩＦ３６を介して、ドアベル３に送信される（ステップＳ２）。ドアベル３は、当該各種気象情報を保存部３７に保存する。
【００５５】
ドアベル３は、保存部３７に保存された各種気象情報を、ルータ５及びネットワーク６を介して、サーバ４に送信する。サーバ４は、保存部４４にドアベル３より受信した各種気象情報を保存する（ステップＳ３）。
【００５６】
サーバ４は、ネットワーク６を介して、保存部４４に保存されている気象情報を気象情報分析装置７に送信する（ステップＳ４）。気象情報分析装置７は、分析部７３が気象に関する分析を行うのに必要な気象情報をサーバ４から取得する（ステップＳ５）。
【００５７】
分析部７３は、サーバ４から受信した気象情報に基づいて、気象に関する各種分析を行い、分析データを生成する（ステップＳ６）。生成された分析データは、保存部７５に保存される。
【００５８】
気象情報分析装置７は、保存部７５に保存されている分析データを、ネットワーク６を介して、サーバ４に送信する（ステップＳ７）。サーバ４は、気象情報分析装置７から送られてきた分析データを、保存部４４に保存する。
【００５９】
ユーザは、移動通信端末８を用いて、サーバ４に保存されている気象情報や分析データを閲覧する。例えば、ユーザが天気予報に関する情報を閲覧したい場合、ユーザは、移動通信端末８に対し、天気予報に関する情報の閲覧指示を、入力部８３に入力する。制御部８５は、当該指示に基づいて指示信号を生成し、サーバ４に送信する。制御部８５は、当該指示に基づいて指示信号を生成し、サーバ４に送信する。このとき、移動通信端末８の識別情報もサーバ４に送信されてもよい。サーバ４は、当該指示信号に基づいて、気象情報や分析データを制御部８５に送信する。サーバ４は、移動通信端末８の識別情報がサーバ４に送信された場合には、当該識別情報に紐付くドアベル３の位置情報に基づいて、ドアベル３の所在地の気象情報や分析データを制御部８５に送信する。制御部８５は、気象情報や分析データを表示部８２に表示させるための画像データを生成する。制御部８５は、画像データを表示部８２に送信し、表示部８２は画像データに基づく画像を表示する。これにより、ユーザは、天気予報に関する情報を移動通信端末８上で閲覧することができる（ステップＳ８）。
【００６０】
例えば、図４に示されるように、表示部８２の上部には、閲覧している当日の日付と、ドアベル３が位置する場所と、閲覧している時のドアベル３が位置する場所（居住地）の天気・気温・降水量と、が表示され得る。図４に示す例では、表示部８２の中央部には、閲覧している当日を含む一週間の天気予報が表示されている。図４に示す例では、表示部８２の上部に、その日の天気と気温が表示されている。ただし、この例には限られず、例えば、湿度、雨量、気圧、風速、風向、照度、騒音、紫外線量、二酸化炭素濃度、花粉量等を表示部８２の上部に表示させてもよい。表示部８２の下部には、他の分析データの表示画面に切り替えるためのタッチタブ（入力部８３の一例）が配置されている。
【００６１】
例えば、ユーザが花粉情報のタブをタッチした場合、移動通信端末８は、サーバ４から花粉情報に関する気象情報及び分析データを取得する。この場合、表示部８２の画面は、図５に示す画面に切り替わる。図５に示される表示画面は、花粉に関する情報が表示部８２の中央部に表示される点で、図４に示される表示画面とは異なる。図５に示す表示画面では、花粉情報の内容として、花粉量とマスクの着用要否に関する情報が表示されているがこの例に限られない。
【００６２】
上記構成によれば、気象情報測定装置２によって取得された気象情報がドアベル３に送られた後、ドアベル３は受信した気象情報をサーバ４に送信する。気象情報分析装置７は、サーバ４に送信された気象情報を基に局地的な気象情報の分析を行い、当該分析データをサーバ４に送信する。このため、ドアベル３のユーザはアンテナや衛星チューナ等の装置を設置せずとも、気象情報サービスの提供を享受することができる。
このように、上記構成によれば、アンテナや衛星チューナ等の装置の代わりに、居住者宅の位置情報を保存しており、かつ電源が安定的に供給されているドアベル３を利用することで、ユーザ（居住者）に気象情報サービスを提供することが可能な気象情報提供システム１を提供することができる。
【００６３】
また、上記構成によれば、サーバ４は、ネットワーク６を介して、移動通信端末８とも通信可能であるため、取得された気象情報や分析データを、移動通信端末８で閲覧することができる。このため、ユーザは、例えば遠隔地にいる時も、移動通信端末８上で簡便に居住地の気象情報や分析データを閲覧することができる。
このように、上記構成によれば、移動通信端末８で気象情報や分析データを閲覧することが可能な気象情報提供システム１を提供することができる。
【００６４】
上述の実施形態では、気象情報測定装置２が測定した気象情報に基づいて、分析部７３が分析データを生成するが、この例に限られない。例えば、気象情報提供システム１の外部にある気象情報に関するデータをサーバ４に保存し、当該データと気象情報測定装置２が測定した気象情報データとに基づいて分析部７３が分析データを生成するようにしてもよい。
【００６５】
尚、気象情報測定装置２が測定した気象情報や分析部７３が生成したデータは、気象情報提供システム１の外部に提供されてもよい。
【００６６】
ドアベル３、サーバ４、気象情報分析装置７、移動通信端末８に関し、相互の接続方法については、有線接続であっても、無線接続であってもよい。
【００６７】
尚、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００６８】
１：気象情報提供システム、２：気象情報測定装置、３：ドアベル、４：サーバ、５：ルータ、7：気象情報分析装置、８：移動通信端末
【図１】
2019144122.tif 000003
【図２】
2019144122.tif 000004
【図３】
2019144122.tif 000005
【図４】
2019144122.tif 000006
【図５】
2019144122.tif 000007